(57)【要約】【課題】備品が患者対応のものであるかの照合を容易に行うことを可能とする。【解決手段】実施形態の患者端末は、患者ごとに備え付けられる患者端末であって、予め割り当てられた識別情報を記憶する記憶手段と、備品に設けられた媒体を読み取る媒体読取手段と、読み取られた媒体に含まれる識別情報と、記憶された識別情報とが一致する場合に、備品が患者に対応する備品であることを報知する報知手段とを備える。【選択図】図５
2013048829.tif 000002
【特許請求の範囲】
【請求項１】
患者ごとに備え付けられる患者端末であって、
予め割り当てられた識別情報を記憶する記憶手段と、
備品に設けられた媒体を読み取る媒体読取手段と、
前記読み取られた媒体に含まれる識別情報と、前記記憶された識別情報とが一致する場合に、前記備品が前記患者に対応する備品であることを報知する報知手段と、
を備える患者端末。
【請求項２】
前記報知手段は、前記備品が前記患者に対応する備品であることを発光して報知する、
請求項１に記載の患者端末。
【請求項３】
外部機器と通信する通信手段を更に備え、
前記記憶手段は、前記外部機器から通信されたデータをもとに前記識別情報を更新する、
請求項１又は２に記載の患者端末。
【請求項４】
患者ごとに備え付けられ、予め割り当てられた識別情報を記憶する記憶手段を備える患者端末のコンピュータを、
備品に設けられた媒体を読み取る媒体読取手段と、
前記読み取られた媒体に含まれる識別情報と、前記記憶された識別情報とが一致する場合に、前記備品が前記患者に対応する備品であることを報知する報知手段と、
して機能させるためのプログラム。
【請求項５】
前記報知手段は、前記備品が前記患者に対応する備品であることを発光して報知する、
請求項４に記載のプログラム。
【請求項６】
外部機器と通信する通信手段として更に機能させ、
前記記憶手段は、前記外部機器から通信されたデータをもとに前記識別情報を更新する、
請求項４又は５に記載のプログラム。
【発明の詳細な説明】
【技術分野】
【０００１】
本発明の実施形態は、患者端末及びプログラムに関する。
【背景技術】
【０００２】
病院などの医療現場では、カルテや点滴等の備品が患者に対応したものであるかを照合し、患者のカルテや患者に投薬する点滴であるかの確認作業を行うことが、医師や看護師等の医療従事者が患者に対して医療を行う際の重要な作業の一つである。
【発明の概要】
【発明が解決しようとする課題】
【０００３】
しかしながら、従来技術においては、備品が患者対応のものであるかを照合するための照合装置を、医療従事者が携帯しなければならず、不便であった。
【課題を解決するための手段】
【０００４】
上述した課題を解決するために、実施形態の患者端末は、患者ごとに備え付けられる患者端末であって、予め割り当てられた識別情報を記憶する記憶手段と、備品に設けられた媒体を読み取る媒体読取手段と、前記読み取られた媒体に含まれる識別情報と、前記記憶された識別情報とが一致する場合に、前記備品が前記患者に対応する備品であることを報知する報知手段とを備える。
【０００５】
また、実施形態のプログラムは、患者ごとに備え付けられ、予め割り当てられた識別情報を記憶する記憶手段を備える患者端末のコンピュータを、備品に設けられた媒体を読み取る媒体読取手段と、前記読み取られた媒体に含まれる識別情報と、前記記憶された識別情報とが一致する場合に、前記備品が前記患者に対応する備品であることを報知する報知手段として機能させる。
【図面の簡単な説明】
【０００６】
【図１】図１は、実施形態にかかる患者端末の外観を示す斜視図である。
【図２】図２は、実施形態にかかる患者端末が設置された病室を例示する概念図である。
【図３】図３は、ＩＣタグにデータを記録する情報処理装置を例示する概念図である。
【図４】図４は、実施形態にかかる患者端末のハードウエア構成の一例を示すブロック図である。
【図５】図５は、実施形態にかかる患者端末の動作の一例を示すフローチャートである。
【図６】図６は、変形例にかかる患者端末のハードウエア構成の一例を示すブロック図である。
【発明を実施するための形態】
【０００７】
以下、添付図面を参照して、患者端末及びプログラムの実施形態を詳細に説明する。なお、以下に説明する実施形態は、患者端末及びプログラムの一実施形態であって、例えば後述する変形例のような構成であってもよく、構成や仕様等を限定するものではない。
【０００８】
図１は、実施形態にかかる患者端末１の外観を示す斜視図である。図１に示すように、患者端末１は、筐体２の正面側（図中の手前側）に発光装置１０、ＩＣタグリーダ２０を備える。発光装置１０は、複数色のＬＥＤ（Light  Emitting  Diode）光源などであり、制御部３０（図４参照）の制御のもと所定の色で発光する。発光装置１０の発光色は、照明色として用いられる白色、正常又は異常の報知を行うための正常色（例えば緑色）又は異常色（例えば赤色）などであってよい。なお、本実施形態では、発光装置１０の発光色で報知を行う場合を例示するが、発光装置１０の点灯の有無や、点滅間隔の差異などで報知を行ってもよいことは言うまでもないことである。
【０００９】
ＩＣタグリーダ２０は、ＲＦＩＤ（Radio  Frequency  IDentification）等の近距離の無線通信により、カルテや点滴等の備品に添付された媒体としてのＩＣタグの読み取りを行う。なお、本実施形態では、カルテや点滴等の備品に添付する媒体としてＩＣタグを例示する。備品に添付される媒体については、識別に必要なＩＤ（Identification  Data）等の情報を記録可能なものであればいずれであってもよく、例えばバーコードやＱＲコード（登録商標）などであってもよい。このバーコードやＱＲコードなどを用いる場合は、ＩＣタグリーダ２０の代わりに読み取りのための光学スキャナを備える。
【００１０】
図２は、実施形態にかかる患者端末１が設置された病室Ｒを例示する概念図である。図２に示すように、患者端末１は、患者Ｈ１ごとに、例えば病室Ｒにいる患者Ｈ１の枕元などに設置される。点滴Ｍ１やカルテＭ２には、患者端末１のＩＣタグリーダ２０で読み取り可能なＩＣタグＴ１が設けられている。ＩＣタグＴ１には、点滴Ｍ１を病室Ｒに持ち込む前のナースステーションや、カルテＭ２の発行を行う事務室に設置された情報処理装置１００（図３参照）により、患者端末１に割り当てられた識別情報である端末ＩＤ等が書き込まれる。医療従事者Ｈ２は、点滴Ｍ１、カルテＭ２に設けられたＩＣタグＴ１をＩＣタグリーダ２０にかざして、発光装置１０の発光色を確認することで、点滴Ｍ１やカルテＭ２が患者に対応したものであるか否かを確認する。このように、患者端末１が患者Ｈ１ごとに予め設置されることから、医療従事者Ｈ２は、点滴Ｍ１、カルテＭ２の確認のための照合装置を携帯することなく、点滴Ｍ１やカルテＭ２が患者Ｈ１に対応したものであるか否かの確認を行うことができる。
【００１１】
図３は、ＩＣタグＴ１にデータを記録する情報処理装置１００を例示する概念図である。図３に示すように、情報処理装置１００は、患者ごとにユニークに割り当てられた患者ＩＤごとに患者に関する情報を記憶する患者ファイルＦ１を、ＨＤＤ（Hard  Disk  Drive）等の記憶装置（図示しない）で管理するＰＣ（Personal  Computer）などである。患者ファイルＦ１は、患者ＩＤごとに管理される患者に関する情報として、患者に設置された患者端末１に割り当てられた端末ＩＤを記憶する。情報処理装置１００には、ＩＣタグＴ１の読み書きを行うためのＩＣタグリーダ・ライタ２００が接続されている。医療従事者Ｈ２は、患者に点滴Ｍ１を投薬する場合や、患者のカルテＭ２を発行する場合は、その点滴Ｍ１やカルテＭ２をＩＣタグリーダ・ライタ２００にセットする。そして、医療従事者Ｈ２は、情報処理装置１００を操作して投薬やカルテの作成にかかる患者を指定することで、その患者に対応して設置された患者端末１に割り当てられた端末ＩＤを、点滴Ｍ１やカルテＭ２のＩＣタグＴ１に書き込む。
【００１２】
図４は、実施形態にかかる患者端末１のハードウエア構成の一例を示すブロック図である。図４に示すように、患者端末１は、前述した発光装置１０、ＩＣタグリーダ２０の他、制御部３０、ＩＣタグ４０及び電源部５０を備える。
【００１３】
制御部３０は、患者端末１の動作を統括制御する。具体的には、制御部３０は、ＣＰＵ（Central  Processing  Unit）、ＲＡＭ（Random  Access  Memory）、ＲＯＭ（Read  Only  Memory）等を備え（いずれも図示しない）、ＣＰＵがＲＯＭに記憶されたプログラムをＲＡＭに展開して順次実行することで、患者端末１の各部を制御する。例えば、制御部３０は、ＩＣタグリーダ２０によるＩＣタグＴ１の読み取りを行う。そして、制御部３０は、ＩＣタグリーダ２０で読み取ったＩＣタグＴ１に含まれる情報と、ＩＣタグ４０に記憶された情報との比較を行い、比較の結果に応じて発光装置１０の発光を制御する。
【００１４】
ＩＣタグ４０は、患者端末１に割り当てられた端末ＩＤ等の情報を記憶する。ＩＣタグ４０としては、不揮発性メモリが用いられ、例えば書換え可能であるＦｌａｓｈＲＯＭ等が用いられる。また、ＩＣタグ４０に記憶される情報には、患者端末１に割り当てられた端末ＩＤの他、照明用として発光装置１０を点灯させるためのコマンドを示すＩＤなどの設定情報も含まれる。電源部５０は、患者端末１の各部に電源を供給する電池や電源回路などである。
【００１５】
ここで、制御部３０の制御の下で行われる患者端末１の動作について説明する。図５は、実施形態にかかる患者端末１の動作の一例を示すフローチャートである。
【００１６】
図５に示すように、電源部５０による電源投入などによって処理が開始されると、制御部３０は、ＩＣタグリーダ２０によるＩＣタグＴ１の読み取りがあるか否かを判定する（Ｓ１）。ＩＣタグＴ１の読み取りがない場合（Ｓ１：ＮＯ）は処理を待機する。ＩＣタグＴ１の読み取りがある場合（Ｓ１：ＹＥＳ）、制御部３０は、ＩＣタグＴ１より読み取った情報（ＩＤ）と、ＩＣタグ４０に設定されているＩＤとの比較を行う（Ｓ２）。次いで、制御部３０は、Ｓ２の比較をもとに、読み取ったＩＤの判定を行う（Ｓ３）。
【００１７】
ＩＣタグＴ１より読み取ったＩＤが照明用として発光装置１０を点灯させるためのコマンドを示すＩＤである場合、制御部３０は、照明色で発光装置１０を発光させる（Ｓ４）。患者端末１が患者Ｈ１の枕元に設置されることから、照明色で発光装置１０を発光させた場合は、患者Ｈ１の読書灯などの用途に患者端末１を用いることができる。したがって、患者端末１を照明色で発行させるためのＩＤが記録されたＩＣタグＴ１を備える患者カード（図示しない）を患者Ｈ１に配布しておくことで、患者Ｈ１は、患者カードをＩＣタグリーダ２０のかざすことで、患者端末１を照明として用いることができる。
【００１８】
ＩＣタグＴ１より読み取ったＩＤと、ＩＣタグ４０に設定されている端末ＩＤとが一致する場合、制御部３０は、ＩＣタグＴ１が添付された点滴Ｍ１、カルテＭ２等の備品が患者Ｈ１に対応した備品であり、正常であることから、正常を示す正常色で発光装置１０を発光させる（Ｓ５）。したがって、医療従事者Ｈ２は、発光装置１０が正常色で発光したことを確認することで、点滴Ｍ１やカルテＭ２が患者Ｈ１に対応した備品であることを確認できる。
【００１９】
ＩＣタグＴ１より読み取ったＩＤと、ＩＣタグ４０に設定されている端末ＩＤとが一致しない場合、制御部３０は、ＩＣタグＴ１が添付された点滴Ｍ１、カルテＭ２等の備品が患者Ｈ１に対応した備品でなく、異常であることから、異常を示す異常色で発光装置１０を発光させる（Ｓ６）。したがって、医療従事者Ｈ２は、発光装置１０が異常色で発光したことを確認することで、点滴Ｍ１やカルテＭ２が患者Ｈ１に対応した備品でないことを確認できる。
【００２０】
次に、患者端末１の変形例として、外部機器から通信されたデータをもとにＩＣタグ４０に記憶されたデータを更新する構成を例示する。図６は、変形例にかかる患者端末１ａのハードウエア構成の一例を示すブロック図である。なお、患者端末１と同じ構成については、同一の符号を付し、その説明を省略する。
【００２１】
図６に示すように、患者端末１ａは、情報処理装置１００とＬＡＮ（Local  Area  Network）等の通信ネットワークＮを介して接続する。具体的には、患者端末１ａは、制御部３０の制御のもと、通信ネットワークＮを介したデータ通信を行うため、ＭＡＣアドレスなどのユニークなアドレスが割り当てられた通信部６０を備える。情報処理装置１００は、通信部６０のアドレスを指定することで、所定の患者端末１ａを指定した通信を行い、その患者端末１ａのＩＣタグ４０を更新するためのデータを送信できる。
【００２２】
制御部３０は、通信ネットワークＮを介して接続する外部機器としての情報処理装置１００との間で、所定の通信プロトコルを用いたデータ通信を行う。制御部３０は、情報処理装置１００よりＩＣタグ４０を更新するためのデータ（例えば新たな患者ＩＤや端末ＩＤ）を受信した場合、その受信したデータでＩＣタグ４０に記憶されるデータを上書きすることで、ＩＣタグ４０に設定されている端末ＩＤ等を更新する。このように、患者端末１ａの設置位置を変更する場合や、患者Ｈ１の入れ替えが行われる場合には、ＩＣタグ４０の設定を外部機器の通信で更新してよい。
【００２３】
なお、本実施形態の患者端末１、１ａで実行されるプログラムは、ＲＯＭ等に予め組み込まれて提供される。本実施形態の患者端末１、１ａで実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００２４】
さらに、本実施形態の患者端末１、１ａで実行されるプログラムを、インターネット等のネットワークに接続されたコンピュータ上に格納し、ネットワーク経由でダウンロードさせることにより提供するように構成しても良い。また、本実施形態の患者端末１、１ａで実行されるプログラムをインターネット等のネットワーク経由で提供または配布するように構成しても良い。
【００２５】
本実施形態の患者端末１、１ａで実行されるプログラムは、上述した機能構成を含むモジュール構成となっており、実際のハードウェアとしてはＣＰＵ（プロセッサ）が上記ＲＯＭからプログラムを読み出して実行することにより上述した機能構成が主記憶装置上にロードされ、主記憶装置上に生成されるようになっている。
【符号の説明】
【００２６】
１、１ａ…患者端末、２…筐体、１０…発光装置、２０…ＩＣタグリーダ、３０…制御部、４０…ＩＣタグ、５０…電源部、６０…通信部、１００…情報処理装置、２００…ＩＣタグリーダ・ライタ、Ｆ１…患者ファイル、Ｈ１…患者、Ｈ２…医療従事者、Ｍ１…点滴、Ｍ２…カルテ、Ｎ…通信ネットワーク、Ｒ…病室、Ｔ１…ＩＣタグ
【先行技術文献】
【特許文献】
【００２７】
【特許文献１】特開２０００−３４２６３８号公報
【図１】
2013048829.tif 000003
【図２】
2013048829.tif 000004
【図３】
2013048829.tif 000005
【図４】
2013048829.tif 000006
【図５】
2013048829.tif 000007
【図６】
2013048829.tif 000008